(57)【要約】  【課題】  火災代表移信用端子を使用したり、特別な接続端子を設けることなく、副受信機、外部移信装置、非常放送設備などの付け替えを簡易にして、出力停止機能が可能なように接続付加することができる火災受信機を提供する。  【解決手段】  監視回線に対応した制御接点をそれぞれに設けた移信用回線端子には共通となる共通接続ピンを設け、かつ移信用共通端子には第１の接続ピンを設ける一方、非常放送停止用連動接点を設けた非常放送用共通端子には第２の接続ピンを設けるとともに、上記共通接続ピンと上記移信用共通端子との間には、移信停止用連動接点を設け、上記第１、第２の接続ピンと、共通接続ピンとの間をジャンパコネクタで選択的に短絡し、あるいはジャンパコネクタを取外しする構成にしている  【選択図】  図１
2005122645.tif 000002
【特許請求の範囲】
【請求項１】
監視回線に対応した制御接点をそれぞれに設けた移信用回線端子には共通となる共通接続ピンを設け、かつ移信用共通端子には第１の接続ピンを設ける一方、非常放送停止用連動接点を設けた非常放送用共通端子には第２の接続ピンを設けるとともに、上記共通接続ピンと上記移信用共通端子との間には、移信停止用連動接点を設け、上記第１、第２の接続ピンと、共通接続ピンとの間をジャンパコネクタで選択的に短絡し、あるいはジャンパコネクタを取外しする構成にしている火災受信機。
【請求項２】
監視回線に対応した制御接点をそれぞれに設けた移信用回線端子には可動接点を設け、移信用共通端子には第１の接続点と、移信停止用連動接点を設けた第２の接続点とを設け、かつ非常放送用共通端子には、非常放送停止用連動接点を設けた第３の接続点を設け、上記可動接点を上記第１、第２、第３の接続点に切換え操作する外部機器選択スイッチを備えた構成にしている火災受信機。
【請求項３】
請求項１、２のいずれかにおいて、
上記ジャンパコネクタを取り外すか、あるいは上記可動接点を上記第３の接続点に接続させた状態で、上記監視回線の移信用回線端子と、上記移信用共通端子との間に、外部移信装置を接続している火災受信機。
【請求項４】
請求項１、２のいずれかにおいて、
上記第１の接続点と上記共通接続点とを上記ジャンパコネクタで短絡させるか、あるいは上記可動接点を上記第１の接続点に接続させた状態で、上記監視回線の移信用回線端子と、上記移信用共通端子との間に、副受信機を接続している火災受信機。
【発明の詳細な説明】
【技術分野】
【０００１】
本発明は、自動火災報知システムなどに使用される火災受信機に関し、特に、特別な接続端子を設けることなく、機能停止スイッチを外部移信装置にも有効に機能するように接続付加できる火災受信機に関する。
【背景技術】
【０００２】
従来、この種の火災受信機は、火災感知器、火災発信器等を接続した、複数の監視回線を導出して、それぞれを監視しており、監視回線のいずれかで火災を感知すると、主ベルを鳴動させ、さらにその監視回線に対応させて設けた地区ベルを鳴動させる構成となっている。
そして、火災受信機で受信し、検知した火災を外部に移報するため、監視回線毎に移信用回線端子を設けて、火災受信機とは別の場所に設置されている外部装置に連動させるシステムが構成されている。
そのような外部装置としては、副受信機、非常放送設備、その他の移信装置があり、いずれも火災受信機の移信用回線端子に接続されて、無電圧接点信号を受けて作動する構成になっているが、特に非常放送設備については、非常放送停止スイッチを操作して、火災警報動作中でも鳴動を一時的に停止できるようになっている。
しかし、その他の移信装置や副受信機への移報を一時的に停止させる停止スイッチは設けられておらず、停止機能付きの火災代表連動接点を備えた火災代表端子を使用しているのが通例である。
【０００３】
この場合の例を図４を参照して説明すると、火災受信機１０には、監視回線のそれぞれに対応して、監視回線のリレーの制御接点ｒ１・・・ｒｎを設けた移信用回線端子Ｉ１・・・Ｉｎと、すべての移信用回線端子に共通な移信用共通端子Ｉｃを設けており、さらに、非常放送設備のために、非常放送停止スイッチの連動接点ｒｓを設けた非常放送用共通端子Ｅｃを設けている。また、火災受信機１０には、いずれかの監視回線で火災を検出したときに閉じる、停止機能付きの火災代表接点ｒｆａが設けられている。
これらは図４に示したような配線をなし、それぞれの監視回線に対応して設けた移信用回線端子Ｉ１・・・と、非常放送用共通端子Ｅｃ、移信用共通端子Ｉｃとの間には、非常放送設備１２、副受信機１３や外部移信装置１４が接続される構成になっている。
すなわち、このような構成の火災受信機によれば、非常放送設備１２は、移信用回線端子Ｉ１・・・と、非常放送設備用共通端子Ｅｃに信号線ｌで接続して使用され、対応した監視回線に火災が発生すれば、その監視回線の制御接点ｒｎが閉じ、非常放送用停止連動接点ｒｓも閉じて、無電圧接点信号が送られ、作動する（図では、非常放送設備１２を移信用回線端子Ｉ１と共通端子Ｉｃとに接続している）。
また、副受信機１３は移信用回線端子Ｉ１・・・と移信用共通端子Ｉｃに信号線ｌで接続して使用され、対応した監視回線に火災が発生すれば、その制御接点ｒｎが閉じて無電圧接点信号が送られ作動する。
【０００４】
しかしながら、外部移信装置１４は、移信用回線端子Ｉ１・・・と移信用共通端子Ｉｃとの間に接続して使用した場合には、非常放送設備のような停止機能を作動させることはできず、このため、従来では、機能停止付きの火災代表接点を用いて実現させており、より具体的には、移信用共通端子Ｉｃと機能停止付きの火災代表接点ｒｆａの共通端子Ｆｃを信号線ｌ’で結線して、火災代表端子を用いるようにしている。
【特許文献１】特開昭６１−１７０９００号公報
【発明の開示】
【発明が解決しようとする課題】
【０００５】
従来の火災受信機では、以上に説明したように、非常放送設備を接続する場合には、機能停止連動接点を設けた専用の接続端子を設けているので容易に対応できたが、外部移信装置や副受信機を接続して使用する場合、一時停止機能を有効にする場合には、火災代表接点を使用しなければならず、操作が面倒な上に、火災代表端子は、他の用途に用いることが出来なくなるなどの問題があった。
【０００６】
そこで、本発明は、余分な結線をしたり、火災代表端子を使用したりせずに、また、特別な接続端子も設けることなく、副受信機、外部移信装置を接続付加した場合にも簡易な操作で一時停止機能が働くようにした火災受信機を提供することを目的としている。
【課題を解決するための手段】
【０００７】
請求項１の本発明は、監視回線に対応した制御接点をそれぞれに設けた移信用回線端子には共通となる共通接続ピンを設け、かつ移信用共通端子には第１の接続ピンを設ける一方、非常放送停止用連動接点を設けた非常放送用共通端子には第２の接続ピンを設けるとともに、上記共通接続ピンと上記移信用共通端子との間には、移信機能停止用連動接点を設け、上記第１、第２の接続ピンと、共通接続ピンとの間をジャンパコネクタで選択的に短絡し、あるいはジャンパコネクタを取外しする構成にしている。
【０００８】
請求項２の本発明は、監視回線に対応した制御接点をそれぞれに設けた移信用回線端子には可動接続点を設け、移信用共通端子には第１の接続点と、移信機能停止用連動接点を設けた第２の接続点とを設け、かつ非常放送用共通端子には、非常放送停止用連動接点を設けた第３の接続点を設け、上記可動接点を上記第１、第２、第３の接続点に切換え操作する外部機器選択スイッチを備えた構成にしている。
【０００９】
請求項３の本発明は、請求項１〜２のいずれかにおいて、ジャンパコネクタを取り外すか、上記可動接点を上記第３の接続点に接続させた状態で、上記監視回線の移信用回線端子と、上記移信用共通端子との間に、外部移信装置を接続しているので、上記移信用停止連動接点を開くことで、その作動を一時的に停止できる構成にしている。
【００１０】
請求項４の本発明は、請求項１〜２のいずれかにおいて、第１の接続点と上記共通接続点とを上記ジャンパコネクタで短絡させるか、上記可動接点を上記第３の接続点に接続させた状態で、上記監視回線の移信用回線端子と、上記移信用共通端子との間に、副受信機を接続しているので、上記機能停止用連動接点を開くことで、副受信機の作動も一時的に停止できる構成にしている。
【発明の効果】
【００１１】
請求項１の本発明では、第１の接続ピン、第２の接続ピンと共通接続ピンとをジャンパコネクタで選択的に短絡させ、あるいはジャンパピンを取り外すだけで、副受信機、非常放送用設備、外部移信装置を付け替え接続でき、非常放送設備、外部移信装置には、機能停止用連動接点を開けば、作動状態を一時的に停止することができる。
また、このような構成によれば、移信停止用連動接点と、非常放送停止用連動接点を、共通の機能停止スイッチで動作させる構成にして、非常放送設備、外部移信装置のそれぞれを独立して機能停止させることができるので、構成を簡易化することができる。
【００１２】
請求項２の本発明では、外部機器選択スイッチの可動接点を第１、第２、第３の接続点に切換え操作するだけで、副受信機、非常放送用設備、外部移信装置を付け替え接続でき、非常放送設備、外部移信装置には、停止スイッチを操作しての機能停止が可能となる。
【００１３】
請求項３の本発明では、外部移信装置、請求項４の本発明では、副受信機がそれぞれ機能停止用連動接点を開くことで、一時停止動作が可能となる。
【発明を実施するための最良の形態】
【００１４】
本発明を実施するための態様を図面を参照しながら、詳述する。
図１は、火災受信機と外部移信装置間の接続図である。図２は、火災受信機と非常放送用設備との接続図である。図３は、外部機器選択スイッチの使用例である。
【００１５】
図１は、本発明の火災受信機と外部移信装置との接続関係を説明する図である。
ジャンパコネクタ１２で共通接続点ｃと第１の接続点ａとを接続した状態を示しており、副受信機Ｂは、移信用回線端子Ｉ１（ＥＡ１）と移信用共通端子Ｉｃとに信号線ｌで接続されている。
このような構成によれば、副受信機Ｂを接続した監視回線で火災が発生すると（例えば、監視回線Ｌ＃１）、制御接点ｒ１が閉じるので、副受信機Ｂには、無電圧接点信号が送られ作動する。しかし、この場合、共通接続点ｃと第１の接続点ａとはジャンパコネクタＪによって短絡されているので、移信停止用連動接点ｒｓ’を開いても無電圧接点信号は解除されず一時停止は不能となる。
【００１６】
ところが一方、ジャンパコネクタＪを取り外した場合には、共通接続点ｃと第１の接続点ａとの接続は解除され、共通接続点ｃは、移信停止用連動接点ｒｓ’に接続される。
したがって、移信用回線端子Ｉ１と、移信用共通端子Ｉｃとの間に移信装置Ｃを接続線ｌを用いて接続すると、対応した監視回線に火災が発生すれば、その監視回線の制御接点ｒ１が閉じ、無電圧接点信号が移信装置Ｃに送られ、移信装置Ｃが作動する。
この場合は、移信用停止スイッチ（不図示）を操作するなどして移信停止用連動接点ｒｓ’を開けば、移信装置Ｃの動作は一時的に停止するが、スイッチを戻すなどして連動接点ｒｓ’を閉じれば、火災復旧されない限り、作動が継続される。また、この場合は、共通接続点ｃと第２の接続点との接続は、ジャンパコネクタＪを取り外すことで遮断されているため、スイッチを操作するなどして非常放送停止用連動接点ｒｓを開かれても、移信装置Ｂの作動を不用意に停止させることはない。
【００１７】
図２は、本発明の火災受信機と非常放送用設備との接続関係を説明する図である。
ジャンパコネクタＪを用いて、共通接続点ｃと第２の接続点ｂとを短絡させた状態を示しており、非常放送設備Ｄは、移信用回線端子Ｉ１（ＥＡ１）と非常放送用共通端子ＥＣとに信号線ｌで接続されている。
このような構成によれば、非常放送設備Ｄを接続した監視回線で火災が発生すると、制御接点ｒ１が閉じ、更に非常放送停止用連動接点ｒｓが閉じるので、非常放送設備Ｄには、無電圧接点信号が送られ、作動する。
そして、この状態で、非常放送停止スイッチを操作するなどして、非常放送停止用連動接点ｒｓ’を開くと、作動は一時的に停止され、スイッチを戻すと、再び、非常放送設備Ｄは作動する。
なお、火災代表移信端子Ｆａ，Ｆｃ間に設けた火災代表接点ｒｆａは、火災が復旧されるまで閉じた状態を保持し、火災が復旧されると開いた状態に戻る。
【００１８】
図３は、外部機器選択スイッチの基本構成を示す図である。
火災受信機Ａに設けた外部機器選択スイッチを操作すれば、共通接続点ｃに設けた可動接点１１ａは、第１の接続点ａ，第２の接続点ｄ、第３の接続点ｂとの接続を切換える。
共通接続点ｃが第１の接続点ａに接続された場合には、図１においてジャンパコネクタＪで共通接続ピンｃと第１の接続ピンａとを短絡させた場合と同じ状態となり、共通接続点ｃが第２の接続点ｄに接続された場合には、図１においてジャンパコネクタＪを取り外した状態と同じになる。さらに、共通接点ｃと第３の接続点が接続された場合には、図１においてジャンパコネクタＪで共通接続ピンｃと第２の接続ピンｂとを短絡させた場合と同じ状態となり、前述したものと同様の動作をなす。
【図面の簡単な説明】
【００１９】
【図１】本発明の火災受信機と外部移信装置間の接続関係を示す図である。
【図２】本発明の火災受信機と非常放送用設備との接続関係を示す図である。
【図３】本発明の外部機器選択スイッチの使用例である。
【図４】従来の火災受信機に、移信装置、副受信機、非常放送設備を接続する場合の接続図である。
【符号の説明】
【００２０】
Ａ      火災受信機
Ｂ      移信装置
Ｃ      副受信機
Ｄ      非常放送設備
Ｉ１・・・Ｉｎ  移信用回線端子
Ｉｃ            移信用共通端子
Ｅｃ・・・      非常放送用共通端子
Ｆａ，Ｆｃ      火災代表端子
ｒ１・・・ｒ ｎ      監視回線の連動接点
ｒｓ・・・      非常放送停止用連動接点
ｒｓ’・・・     移信停止用連動接点
ｃ              共通接続点
ａ              第１の接続ピン、第１の接続点
ｂ              第２の接続ピン、第２の接続点
ｄ              第３の接続ピン    
１１            外部機器選択スイッチ
１１ａ          その可動接点
Ｊ              ジャンパコネクタ  
【図１】
2005122645.tif 000003
【図２】
2005122645.tif 000004
【図３】
2005122645.tif 000005
【図４】
2005122645.tif 000006